(57)【特許請求の範囲】
【請求項１】
ＩＰ端末装置とゲートキーパーの間をＩＰ網およびアナログアナログ公衆網を介して接続したＩＰ通信システムにおいて、
前記ゲートキーパーは、ＩＰ網を介して発側のＩＰ端末装置から着側のＩＰ端末装置へのＩＰ接続要求があったときに、着側のＩＰ端末装置のＩＰアドレスをＩＰアドレス登録テーブルから検索し、着側のＩＰ端末装置のＩＰアドレスが登録されていな場合、着側のＩＰ端末装置に対してアナログ公衆網を介してアナログ発信を行いＩＰアドレスの登録を促す機能を有し、
前記着側のＩＰ端末装置は、ナンバーディスプレイ着信によってゲートキーパーからの着信を認識する機能とゲートキーパーからの着信があったときに自己のＩＰアドレスをＩＰ網を介してゲートキーパーへ登録する機能を有し、
ゲートキーパーからＩＰ端末装置へナンバーディスプレイ着信によりＩＰアドレス登録を促すことを特徴とするＩＰ通信システム。
【請求項２】
請求項１に記載のナンバーディスプレイ着信によりＩＰアドレス登録を促すようにしたＩＰ通信システムを構成するゲートキーパーにおいて、
ゲートキーパー全体を制御する主制御部と、ゲートキーパーのアドレス交換などのプロトコル制御を行うＩＰゲートキーパー制御部と、ＩＰ呼制御などのプロトコル制御を行うＩＰシグナリング制御部と、ＩＰ端末装置の電話番号とＩＰアドレスが対応付けて登録されるＩＰアドレス登録テーブルと、ＩＰアドレス登録テーブルの管理を行う登録テーブル管理部と、ＩＰアドレスを登録していないＩＰ端末装置へＩＰアドレスの登録を促すアナログ発信を指示するＩＰ端末装置への発信制御部と、ＩＰ端末装置へアナログ発信を行うアナログ回線制御部とを有しており、
発側ＩＰ端末装置から着側ＩＰ端末装置へのＩＰ接続要求があると、ＩＰアドレス登録テーブルを検索して、着側ＩＰ端末装置のＩＰアドレスが登録されていない場合に着側ＩＰ端末装置にアナログ公衆網を介してナンバーディスプレイ着信によりＩＰアドレス登録を促し、着側ＩＰ端末装置からＩＰアドレスの登録があると、着側ＩＰ端末装置のＩＰアドレスを発側ＩＰ端末装置へ通知することを特徴とするナンバーディスプレイ着信によりＩＰアドレス登録を促すようにしたＩＰ通信システムを構成するゲートキーパー。
【請求項３】
請求項１に記載のナンバーディスプレイ着信によりＩＰアドレス登録を促すようにしたＩＰ通信システムを構成するＩＰ端末装置において、ゲートキーパーからナンバーディスプレイ着信を受けたことを認識する手段と、ゲートキーパーからナンバーディスプレイ着信を受けたときにゲートキーパーに対し自己のＩＰアドレスを登録する処理を行うＩＰアドレス登録手段とを有することを特徴とするナンバーディスプレイ着信によりＩＰアドレス登録を促すようにしたＩＰ通信システムを構成するＩＰ端末装置。
【発明の詳細な説明】
【０００１】
【発明の属する技術分野】
本発明は、ＩＰ（Inter-net Protocol）網を介して接続された対向するＩＰ端末装置間で、ＩＰ通話を行うＩＰ通信システムに関し、特に、ＩＰ網を介した発呼時に、ＩＰアドレスが未登録のＩＰ端末装置に対し、アナログ公衆網によるナンバーディスプレイ機能を用いてＩＰアドレス登録を促すようにしたＩＰ通信システムと、このＩＰ通信システムを構成するゲートキーパーならびにＩＰ端末装置に関する。
【０００２】
【従来の技術】
従来のゲートキーパーを介したＩＰ通信システムの構成を、図７を用いて説明する。ＩＰ通信システムは、ゲートキーパー１とＩＰ電話機などのＩＰ端末装置３Ａ，３ＢとがＩＰ網５１を介して接続されて構成される。
【０００３】
このようなＩＰ通信システムにおいて、ＩＰ端末装置３Ａ，３Ｂ間でＩＰ通話を行う手順を、図８を用いて説明する。
【０００４】
ＩＰ通話を行おうとするＩＰ端末装置３Ａは、ＩＰ網５１を介してゲートキーパー１へ自己のＩＰアドレスを含む登録要求（ＲＲＱ）を送信する（ステップＳ４１）。登録要求（ＲＲＱ）を受けたゲートキーパー１は、ＩＰ端末装置３ＡのＩＰアドレスを登録テーブルに登録し、登録確認（ＲＣＦ）を返送する（ステップＳ４２）。
【０００５】
同様に、ＩＰ通話を行おうとするＩＰ端末装置３Ｂは、ＩＰ網５１を介してゲートキーパー１へ自己のＩＰアドレスを含む登録要求（ＲＲＱ）を送信する（ステップＳ４３）。登録要求（ＲＲＱ）を受けたゲートキーパー１は、ＩＰ端末装置３ＢのＩＰアドレスを登録テーブルに登録し、登録確認（ＲＣＦ）を返送する（ステップＳ４４）。
【０００６】
ＩＰ端末装置３ＢとのＩＰ通話を望むＩＰ端末装置３Ａが、ゲートキーパー１へＩＰ端末装置３Ｂとの通話開始要求（ＡＲＱ）を送信すると（ステップＳ４５）、ゲートキーパー１は、登録テーブルを参照してＩＰ端末装置３ＢのＩＰアドレスが登録されていることを認識して、ＩＰ端末装置３ＢのＩＰアドレスを含む許可応答（ＡＣＦ）をＩＰ端末装置３Ａへ返す（ステップＳ４６）。
【０００７】
ＩＰ端末装置３ＢのＩＰアドレスを取得したＩＰ端末装置３Ａは、ＩＰ網５１を介してＩＰ端末装置３Ｂへ呼設定を送出する（ステップＳ４７）。
【０００８】
呼設定を受信したＩＰ端末装置３Ｂは、ＩＰ網５１を介してＩＰ端末装置３Ａへ呼設定受付を返送する（ステップＳ４８）とともに、ゲートキーパー１に対して自己のＩＰアドレスを含む開始要求（ＡＲＱ）を送出する（ステップＳ４９）。
【０００９】
ゲートキーパー１は、登録テーブルを参照してＩＰ端末装置３ＢのＩＰアドレスが登録されていることを認識して、ＩＰ端末装置３ＡのＩＰアドレスを含む許可応答（ＡＣＦ）をＩＰ端末装置３Ｂへ返す（ステップＳ５０）。
【００１０】
ＩＰ端末装置３ＡのＩＰアドレスを取得したＩＰ端末装置３Ｂは、ＩＰ網５１を介してＩＰ端末装置３Ａへ呼出を送出する（ステップＳ５１）とともに、応答を送出した後（ステップＳ５２）、ＩＰ端末装置３ＡとＩＰ端末装置３Ｂとの間で、ＩＰ網５１を介したＩＰ通話を行なう（ステップＳ５３）。
【００１１】
このように、双方のＩＰ端末装置３Ａ，３ＢのＩＰアドレスが、ゲートキーパー１に登録されているときには、所定の手続の後にＩＰ通話することができるが、ＩＰアドレスを登録していないＩＰ端末装置に通話をするときにはＩＰ通話することができない。すなわち、ＩＰ端末装置３Ａが、自己のＩＰアドレスをゲートキーパー１に登録していないＩＰ端末装置３ＣとのＩＰ接続を希望してゲートキーパー１へＩＰ端末装置３Ｃとの通話開始要求（ＡＲＱ）を送信すると（ステップＳ６１）、ゲートキーパー１は、登録テーブルを参照してＩＰ端末装置３ＣのＩＰアドレスが登録されていないことを認識して、拒否応答（ＡＲＪ）をＩＰ端末装置３Ａへ返す（ステップＳ６２）。
【００１２】
このようにして、ＩＰ端末装置３Ａは、ゲートキーパー１に対して事前に自己のＩＰアドレスを登録しているＩＰ端末装置との間でのみＩＰ通話することができ、自己のＩＰアドレスを事前に登録していないＩＰ端末装置との間ではＩＰ通話をすることができない。
【００１３】
このゲートキーパーに対するＩＰアドレス登録動作は、ＩＰ端末装置（ＩＰ端末装置）が起動したときや任意の操作によって登録されるので、何時でも通話できる状態になってから接続することができる。
【００１４】
上に述べたように、ＩＰ網を介してＩＰ通話を行うには、予めＩＰアドレスをゲートキーパーに登録する必要があるが、相手側のＩＰ電話機などのＩＰ端末装置が、未だに自己のＩＰアドレスをゲートキーパーに登録していない場合には、ＩＰ通話することができない。ＩＰ通話するためには、相手側のＩＰ端末装置も起動してＩＰアドレスをゲートキーパーに登録する必要がある。
【００１５】
【発明が解決しようとする課題】
本発明は、ＩＰ端末装置よりゲートキーパーへＩＰ通話要求があったときに、相手側のＩＰ端末装置がゲートキーパーにＩＰアドレスを登録していないときに、ゲートキーパーから相手側ＩＰ端末装置にアナログ公衆網を介してナンバーディスプレイ着信を行うことによりＩＰアドレスの登録動作を促し、ＩＰ通話を行うことができるＩＰ通信システムと、このＩＰ通信システムを構成するゲートキーパーならびにＩＰ端末装置を提供することを目的とする。
【００１６】
【課題を解決するための手段】
上記課題を解決するために、本発明は、ＩＰ電話機などのＩＰ端末装置を接続するゲートキーパーにおいて、ＩＰ端末装置への発信機能を有し、通話する相手側のＩＰ端末装置のＩＰアドレスが設定されていない場合に、アナログ公衆網を介してＩＰ端末装置へ一度ナンバーディスプレイ着信させてから登録動作を促すゲートキーパーを提案する。また、ＩＰ端末装置側も認識しているゲートキーパーからの着信動作を受けてゲートキーパーへＩＰアドレスを登録する機能を有する。
【００１７】
上記課題を解決するために、本発明は、ＩＰ網およびアナログ公衆網を介して接続されるゲートキーパーおよび複数のＩＰ端末装置からなるＩＰ通信システムにおいて、ゲートキーパーが、主制御部と、ＩＰゲートキーパー制御部と、ＩＰシグナリング制御部と、ＩＰアドレス登録テーブルと、登録テーブル管理部と、ＩＰ端末装置への発信制御部と、アナログ回線制御部とを有しており、着側のＩＰ端末装置が、ナンバーディスプレイ着信によってゲートキーパーからの着信を認識する手段と、ゲートキーパーからの着信があったときに、自己のＩＰアドレス登録処理を実行するＩＰアドレス登録処理部とを有しており、発側ＩＰ端末装置が着側ＩＰ端末装置とのＩＰ接続をゲートキーパーに要求すると、ゲートキーパーがＩＰアドレス登録テーブルを検索して着側ＩＰ端末装置のＩＰアドレスが登録されていない場合は、着側ＩＰ端末装置に対してアナログ公衆網を介してナンバーディスプレイ着信によりＩＰアドレス登録を促し、着側ＩＰ端末装置がゲートキーパーに対して自己のＩＰアドレスをＩＰ網を介して登録することによって、発側ＩＰ端末装置と着側ＩＰ端末装置との間でＩＰ通話を行うようにした。
【００１８】
上記課題を解決するために、本発明は、上記ＩＰ通信システムを構成するゲートキーパーにおいて、ゲートキーパー全体を制御する主制御部と、ゲートキーパーのアドレス交換などのプロトコル制御を行うＩＰゲートキーパー制御部と、ＩＰ呼制御などのプロトコル制御を行うＩＰシグナリング制御部と、ＩＰ端末装置の電話番号とＩＰアドレスが対応付けて登録されるＩＰアドレス登録テーブルと、ＩＰアドレス登録テーブルの管理を行う登録テーブル管理部と、ＩＰアドレスを登録していない着側ＩＰ端末装置へＩＰアドレスの登録を促す発信を制御するＩＰ端末装置への発信制御部と、着側ＩＰ端末装置へアナログ発信を行うアナログ回線制御部とを有しており、発側ＩＰ端末装置から着側ＩＰ端末装置へのＩＰ接続要求があると、ＩＰアドレス登録テーブルを検索して、着側ＩＰ端末装置のＩＰアドレスが登録されていない場合に着側ＩＰ端末装置にアナログ公衆網を介してナンバーディスプレイ着信することによってＩＰアドレス登録を促し、着側ＩＰ端末装置からＩＰ網を介してＩＰアドレスの登録があると、着側ＩＰ端末装置のＩＰアドレスを発側ＩＰ端末装置へ通知するようにした。
【００１９】
上記課題を解決するために、本発明は、上記ＩＰ通信システムを構成するＩＰ端末装置において、ゲートキーパーからナンバーディスプレイ着信による着信を受けたことを認識する手段と、ゲートキーパーからナンバーディスプレイ着信による着信を受けたときにゲートキーパーに対し自己のＩＰアドレスを登録する処理を行うＩＰアドレス登録手段とを備えた。
【００２０】
【発明の実施の形態】
図１を用いて、本発明の第１の実施の形態にかかるゲートキーパーを用いた通信システムの構成を説明する。本発明の第１の実施の形態にかかるゲートキーパーを用いたＩＰ通信システムは、ゲートキーパー１と、ＩＰ電話機などのＩＰ端末装置３Ａ，３Ｂを、ＩＰ網５１とアナログ公衆網５５を介して接続して構成される。
【００２１】
図２を用いて、本発明にかかるＩＰ通信システムにおけるナンバーディスプレイ着信によりＩＰアドレスの登録を促すようにしたゲートキーパーの構成を説明する。本発明にかかるゲートキーパー１は、主制御部１０と、ＩＰゲートキーパー制御部１１と、ＩＰシグナリング制御部１２と、ＴＣＰ／ＩＰ制御部１３と、ＩＰアドレス登録テーブル１４と、登録テーブル管理部１５と、ＩＰ端末装置への発信制御部１６と、アナログ回線制御部１７と、イーサネット(登録商標)インタフェース１８と、タイマ処理部１９とを有して構成される。
【００２２】
主制御部１０は、ゲートキーパー全体を制御する手段である。すなわち、主制御部１０は、ＩＰアドレス未登録の場合にアナログ発信するＩＰ端末装置の電話番号を登録・記録する機能と、ＩＰゲートキーパー制御部１１から通知された未登録情報を受けて登録しているＩＰ端末装置の電話番号に対してアナログ発信をＩＰ端末装置への発信制御部１６へ要求する機能を有している。
【００２３】
ＩＰゲートキーパー制御部１１は、ゲートキーパーのアドレス交換などのプロトコル制御を行う手段である。すなわち、ＩＰゲートキーパー制御部１１は、ＩＰ端末装置から設定要求があった自己のＩＰ端末装置のＩＰアドレスおよび電話番号をＩＰアドレス登録テーブルに書き込み管理する機能と、ＩＰ端末装置から要求があった電話番号に対してＩＰアドレスを通知する（ＩＰアドレス解決）機能と、ＩＰアドレス登録テーブルにないＩＰ端末装置のアドレスを要求された場合、主制御部１０へ未登録情報として通知する機能を有している。
【００２４】
ＩＰシグナリング制御部１２は、ＩＰ呼制御などのプロトコル制御を行う手段である。すなわち、ＩＰシグナリング制御部１２は、ＩＰ端末装置がこのゲートキーパーを経由して接続動作を行う場合、Ｈ．３２３手順などによるＩＰシグナリング処理を接続相手のＩＰ端末装置に対して行う機能を有している。
【００２５】
ＴＣＰ／ＩＰ制御部１３は、ＴＣＰ／ＵＤＰ／ＩＰプロトコル制御を行う手段であり、ＩＰシグナリング制御部１２またはＩＰゲートキーパー制御部１１から送られたデータをＩＰパケットに生成して送受信する機能を有している。
【００２６】
ＩＰアドレス登録テーブル１４は、ＩＰ端末装置から登録要求のあったＩＰ端末装置の電話番号とＩＰアドレスが対応付けて登録される。登録テーブル管理部１５が定期的に登録済みのＩＰ端末装置が存在するか否かをチェックし、登録しているＩＰ端末装置が存在しなくなると、ＩＰ登録テーブルに登録された登録情報のうちＩＰアドレスが削除される。
【００２７】
登録テーブル管理部１５は、ＩＰ端末装置の電話番号・ＩＰアドレスを登録および管理する手段である。
【００２８】
ＩＰ端末装置への発信制御部１６は、ＩＰアドレスを登録していないＩＰ端末装置に対して、登録を促すためのアナログ発信制御を行う手段である。すなわち、ＩＰ端末装置への発信制御部１６は、主制御部１０から指示があったＩＰ端末装置へアナログ公衆網を介してアナログ発信制御を行う機能と、対向するＩＰ端末装置へ着信するとすぐに切断する機能を有している。
【００２９】
アナログ回線制御部１７は、アナログ公衆網におけるアナログ発信処理を行う手段である。すなわち、アナログ回線制御部１７は、ＩＰ網へ接続するためのＩＳＰへの接続を行う機能と、ＩＰアドレスを登録していないＩＰ端末装置へのアナログ発信・切断動作を行う機能を有している。
【００３０】
イーサネットインタフェース１８は、イーサネットインタフェースを持ち、ＩＰパケットの送受信を行う、イーサネットとのインタフェースである。
【００３１】
タイマ処理部１９は、ＩＰ端末装置の確認などに使用する手段である。すなわち、タイマ処理部１９は、ＩＰアドレス登録テーブルを監視する機能を持ち、定期的にＩＰアドレス登録テーブルに登録されている端末装置が存在するか否かを主制御部１０からＩＰゲートキーパー制御部１１を経由して監視する機能を有している。
【００３２】
ＩＰ端末装置３は、通常のＩＰ端末装置としての機能のほかに、ゲートキーパーからのナンバーディスプレイ着信によりゲートキーパーからの着信を受けたことを認識する手段と、ゲートキーパーからナンバーディスプレイ着信を受けたときにゲートキーパーに対し自己のＩＰアドレスを登録する処理を行うＩＰアドレス登録手段とを備えている。
【００３３】
本発明のＩＰ通信システムにおいては、ゲートキーパー１に、予めアナログ発信を行うＩＰ端末装置などの電話番号を登録しておく。また、ＩＰ端末装置などにも、ゲートキーパーが収容されている電話番号を登録しておく。
【００３４】
発側ＩＰ端末装置３Ａから接続動作を行った際、ゲートキーパー１は、相手側ＩＰ端末装置３ＢのＩＰアドレスが登録されているかをＩＰアドレス登録テーブル１４を参照してチェックし、ＩＰアドレスが登録されていない場合、そのＩＰ端末装置３Ｂに対してアナログ公衆網５５を介したアナログ発信動作を行う。このとき、アナログ発信動作は、相手側ＩＰ端末装置３Ｂが応答する前にすぐに切断する。
【００３５】
アナログ公衆網５５を介してアナログ着信を受けた相手側ＩＰ端末装置３Ｂは、ナンバーディスプレイ着信によりゲートキーパー１からの着信と認識すると、ゲートキーパー１に対してＩＰ網５１を介してＩＰアドレス登録処理を行う。
【００３６】
相手側ＩＰ端末装置３ＢのＩＰアドレスが登録された後は、通常の手順によって、ＩＰ通話が可能となる。
【００３７】
上記において、ゲートキーパーへの登録操作を行うＩＰ端末装置であれば、ＩＰ電話機に限定する必要はない。
【００３８】
上記ＩＰ通話における呼接続処理の流れの詳細を、図３を用いて説明する。予めＩＰ端末装置３からゲートキーパー１にＩＰアドレスを登録する。すなわち、ＩＰ端末装置３Ａは、自己の電話番号を搭載した登録要求（ＲＲＱ）を、ＩＰ網５１を介してゲートキーパー１へ送信する（ステップＳ１）。ゲートキーパー１はＩＰアドレス登録テーブルにこの電話番号に対応したＩＰアドレスを登録した（ステップＳ３）後、ＩＰアドレスを付加した登録確認（ＲＣＦ）を、ＩＰ網５１を介してＩＰ端末装置３Ａへ返送する（ステップＳ４）。同様に、ＩＰ端末装置３Ｂは、自己の電話番号を搭載した登録要求（ＲＲＱ）をＩＰ網５１を介してゲートキーパー１へ送信する（ステップＳ２）。ゲートキーパー１はＩＰアドレス登録テーブルにこの電話番号に対応したＩＰアドレスを登録した（ステップＳ３）後、ＩＰアドレスを付加した登録確認（ＲＣＦ）を、ＩＰ網５１を介してＩＰ端末装置３Ｂへ返送する（ステップＳ５）。
【００３９】
ユーザからＩＰ端末装置３ＡにＩＰ接続要求があると、ＩＰ端末装置３Ａは、相手側電話番号と自己のＩＰアドレスを搭載した開始要求（ＡＲＱ）を、ＩＰ網５１を介してゲートキーパー１へ送信する（ステップＳ６）。
【００４０】
ゲートキーパー１は、相手電話番号を用いてＩＰアドレス登録テーブルを検索して（ステップＳ７）取得した相手ＩＰ端末装置３ＢのＩＰアドレスを搭載した許可（ＡＣＦ）を、ＩＰ網５１を介してＩＰ端末装置３Ａへ送信する（ステップＳ８）。
【００４１】
相手ＩＰ端末装置３ＢのＩＰアドレスを取得したＩＰ端末装置３Ａは、このＩＰアドレスを用いて相手ＩＰ端末装置３ＢへＩＰ網５１を介して呼設定を送出する（ステップＳ９）。
【００４２】
相手ＩＰ端末装置３Ｂは、ＩＰ端末装置３Ａに対して呼設定受付を送信した（ステップＳ１０）後、ＩＰ端末装置３Ａの電話番号と自己のＩＰアドレスを搭載した開始要求（ＡＲＱ）をゲートキーパー１へ送信する（ステップＳ１１）。
【００４３】
ゲートキーパー１は、ＩＰ端末装置３Ａの電話番号を用いてＩＰアドレス登録テーブルを検索して取得したＩＰ端末装置３ＡのＩＰアドレスを搭載した許可（ＡＣＦ）を、ＩＰ網５１を介してＩＰ端末装置３Ｂへ送信する（ステップＳ１２）。
【００４４】
ＩＰ端末装置３Ｂは、取得したＩＰ端末装置３ＡのＩＰアドレスを用いて呼び出し送出する（ステップＳ１３）とともに、応答信号を送出する（ステップＳ１４）。
【００４５】
このようにして、予めＩＰアドレスをゲートキーパー１に登録したＩＰ端末装置３ＡとＩＰ端末装置３Ｂとの間でＩＰ通話が行われる（ステップＳ１５）。
【００４６】
次いで、自己のＩＰアドレスをゲートキーパー１に登録したＩＰ端末装置３Ａから、ＩＰアドレスを登録していないＩＰ端末装置３ＣへＩＰ接続する場合の手順を説明する。
【００４７】
ユーザからＩＰ端末装置３ＡにＩＰ接続要求があると、ＩＰ端末装置３Ａは、相手側電話番号と自己のＩＰアドレスを搭載した開始要求（ＡＲＱ）を、ＩＰ網５１を介してゲートキーパー１へ送信する（ステップＳ２０）。
【００４８】
ゲートキーパー１は、相手電話番号を用いてＩＰアドレス登録テーブルを検索した結果、相手ＩＰ端末装置３ＣのＩＰアドレスが登録されていないことを認識すると、アナログ公衆網５５を介してＩＰ端末装置３Ｃへアナログ発信した（ステップＳ２１）後、この発信を切断する（ステップＳ２２）。
【００４９】
アナログ公衆網５５を介してアナログ着信したＩＰ端末装置３Ｃは、ナンバーディスプレイ着信によって取得した電話番号によってゲートキーパー１からの着信であることを認識すると、自己の電話番号を搭載した登録要求（ＲＲＱ）を、ＩＰ網５１を介してゲートキーパー１へ送出する（ステップＳ２３）。
【００５０】
ゲートキーパー１は、ＩＰ端末装置３ＣのＩＰアドレスを電話番号と対応付けてＩＰアドレス登録テーブル１４に登録する（ステップＳ２４）。次いで、ゲートキーパー１は、ＩＰ端末装置３ＣのＩＰアドレスを搭載した登録確認（ＲＣＦ）を、ＩＰ網５１を介してＩＰ端末装置３Ｃへ送信する（ステップＳ２５）とともに、ＩＰ端末装置３ＣのＩＰアドレスを搭載した許可（ＡＣＦ）を、ＩＰ網５１を介してＩＰ端末装置３Ａへ送信する（ステップＳ２６）。
【００５１】
相手ＩＰ端末装置３ＣのＩＰアドレスを取得したＩＰ端末装置３Ａは、このＩＰアドレスを用いて相手ＩＰ端末装置３Ｃへ、ＩＰ網５１を介して呼設定を送出する（ステップＳ２７）。
【００５２】
相手ＩＰ端末装置３Ｃは、ＩＰ端末装置３Ａに対してＩＰ網５１を介して呼設定受付を送信した（ステップＳ２８）後、ＩＰ端末装置３Ａの電話番号と自己のＩＰアドレスを搭載した開始要求（ＡＲＱ）を、ＩＰ網５１を介してゲートキーパー１へ送信する（ステップＳ２９）。
【００５３】
ゲートキーパー１は、ＩＰ端末装置３Ａの電話番号を用いてＩＰアドレス登録テーブル１４を検索して取得したＩＰ端末装置３ＡのＩＰアドレスを搭載した許可（ＡＣＦ）を、ＩＰ網５１を介してＩＰ端末装置３Ｃへ送信する（ステップＳ３０）。
【００５４】
ＩＰ端末装置３Ｃは、取得したＩＰ端末装置３ＡのＩＰアドレスを用いて、ＩＰ網５１を介して呼出信号を送出する（ステップＳ３１）とともに、応答信号を送出する（ステップＳ３２）。
【００５５】
このようにして、予めＩＰアドレスをゲートキーパー１に登録したＩＰ端末装置３ＡとＩＰアドレスを登録していないＩＰ端末装置３Ｃとの間でＩＰ通話が行われる（ステップＳ３３）。
【００５６】
図４を用いて、本発明の第２の実施の形態にかかるゲートキーパーを用いた通信システムの構成を説明する。本発明の第２の実施の形態にかかるゲートキーパーを用いたＩＰ通信システムは、ゲートキーパー１と、アナログ電話機６１Ａとディジタル端末装置６２Ａを収容するＶｏＩＰアダプタ４Ａとを、ＩＰ網５１とアナログ公衆網５５を介して接続し、ゲートキーパー１と、アナログ電話機６１Ｂとディジタル端末装置６２Ｂを収容するＶｏＩＰアダプタ４Ｂとを、ＩＰ網５１とアナログ公衆網５５を介して接続し、ＶｏＩＰアダプタ４Ａと、ＶｏＩＰアダプタ４Ｂとを、ＩＰ網５１を介して接続して構成される。
【００５７】
この実施の形態にかかるＩＰ通信システムを構成するゲートキーパー１は、第１の実施の形態で用いたゲートキーパー１と同じ構成を有しているので、その説明を省略する。
【００５８】
この実施の形態にかかるＩＰ通信システムにおけるＶｏＩＰアダプタ４は、パーソナルコンピュータなどのディジタル端末装置６２を収容するとともにアナログ電話機などのアナログ端末装置６１を収容し、ディジタル端末装置６２およびアナログ端末装置６１がＩＰ網５１を介してＩＰ通信する機能と、アナログ端末装置６１がアナログ回線５５を介して通話する機能を有している。さらに、ＶｏＩＰアダプタ４は、ゲートキーパー１に対して自己のＩＰアドレスを登録する機能と、アナログ回線５５を介して着信があったときにナンバーディスプレイ着信機能によりゲートキーパー１からの着信であることを認識する機能と、ゲートキーパー１からアナログ着信を受けたときにゲートキーパーに対し自己のＩＰアドレスを登録する処理を行うＩＰアドレス登録機能とを備えている。
【００５９】
この実施の形態のＩＰ通信システムにおいては、ゲートキーパー１に、予め接続を許可するＶｏＩＰアダプタなどの電話番号を登録しておく。また、ＶｏＩＰアダプタにも、ゲートキーパー１の電話番号を登録しておく。
【００６０】
発側ＶｏＩＰアダプタ４Ａから接続動作を行った際、ゲートキーパー１は、相手側ＶｏＩＰアダプタ４ＢのＩＰアドレスが登録されているかをＩＰアドレス登録テーブル１４を参照してチェックし、ＩＰアドレスが登録されていない場合、そのＶｏＩＰアダプタ４Ｂに対してアナログ公衆網５５を介したアナログ発信動作を行う。このとき、アナログ発信動作は、相手側ＶｏＩＰアダプタ４Ｂが応答する前にすぐに切断する。
【００６１】
アナログ公衆網５５を介して着信を受けた相手側ＶｏＩＰアダプタ４Ｂは、ナンバーディスプレイ着信によりゲートキーパー１からの着信と認識すると、ゲートキーパー１に対してＩＰ網５１を介してＩＰアドレス登録処理を行う。
【００６２】
相手側ＩＰ端末装置３ＢのＩＰアドレスが登録された後は、通常の手順によって、ＩＰ通話が可能となる。
【００６３】
図５を用いて、この実施の形態にかかるＩＰ通信システムにおけるＶｏＩＰアダプタ４の構成を説明する。ＶｏＩＰアダプタ４は、主制御部４０と、アナログ通話／インターネット通話切替スイッチ４１と、ＩＰシグナリング制御部４２と、ＴＣＰ／ＩＰ制御部４３と、回線側アナログ回線制御部４４Ｔと、加入者側アナログ回線制御部４４Ｓと、ＩＰアドレス登録制御部４５と、回線側イーサネットインタフェース４６Ｔと、加入者側イーサネットインタフェース４６Ｓと、着信音生成部４７と、音声圧縮・伸長処理部４８とを有して構成される。
【００６４】
主制御部４０は、ＶｏＩＰアダプタ全体を制御する手段である。すなわち、主制御部４０は、相手側ＶｏＩＰアダプタ４などのＩＰ端末装置やゲートキーパー１の電話番号とＩＰアドレスを登録・記録する機能と、回線側アナログ回線御部４４Ｔへの着信からナンバーディスプレイ着信により相手の電話番号を認識する機能と、この電話番号を用いてゲートキーパー１からの着信であることを認識する機能と、ゲートキーパー１からのアナログ着信があったときにＩＰ網５１を介してゲートキーパー１へ登録要求（ＲＲＱ）を送信する機能を有している。すなわち、主制御部４０は、Ｈ．３２３手順によりアナログ端末装置６１からの通話がアナログ通話を希望するかインターネット通話を希望するかを判断する働き、ＩＰ網５１から着信したディジタル通話がアナログ端末装置６１への着信であるか否かを判断する働き、アナログ通話とインターネット通話の切替判断と指示を行うとともに、インターネット通話に必要なＩＰアドレス交換を行い、インターネット通話接続のための呼接続動作をＩＰシグナリング制御部４２へ指示する働きを有している。さらに、主制御部４０は、インターネット通話路確立時にアナログ電話機６１へインターネット着信音の送出指示を着信音生成部４７へ指示し、アナログ通話からインターネット通話へ切り替えた際にアナログ網の切断動作を回線側アナログ回線制御部４４Ｔへ指示する働きを有している。さらに、主制御部４０は、ＩＰ通話時に、ＩＰパケットを生成する働きも有している。
【００６５】
アナログ通話／インターネット通話切替スイッチ４１は、アナログ端末装置６１とアナログ回線網５５との通話を、回線側アナログ回線制御部４４Ｔ経由で行うアナログ通話と、回線側イーサネットインターフェース４６Ｔ経由で行うインターネット通話とのいずれかに切り替える働きを有している。すなわち、アナログ通話／インターネット通話切替スイッチ４１は、主制御部４０からの指示を受けてアナログ通話路をＩＰ通話路（インターネット通話）へ切り替える働きを有している。アナログ通話の場合は、加入者側アナログ回線制御部４４Ｓと回線側アナログ回線制御部４４Ｔ間を通過させる通話路を形成し、ＩＰ通話の場合は、加入者側アナログ回線制御部４４Ｓからのアナログ通話を、音声圧縮伸長処理部４８で音声圧縮処理してディジタル化して、回線側イーサネットインターフェース４６ＴへＩＰパケットとして通話路を形成する働きを有している。
【００６６】
ＩＰシグナリング制御部４２は、インターネット通話におけるＨ．３２３やＳＩＰなどのＩＰシグナリングプロトコルを用いた呼制御を行う手段である。すなわち、ＩＰシグナリング制御部４２は、ＩＰ通話を行うための接続動作を行い、ＩＰ呼制御などのプロトコル制御により呼接続を実施する働きを有している。接続動作は、主制御部４０からの指示によりアナログ通話からＩＰ通話へ切り替える場合と、アナログ着信後ＩＰ着信を実行する際に使用する。
【００６７】
ＴＣＰ／ＩＰ制御部４３は、ＴＣＰ／ＵＤＰ／ＩＰプロトコル制御を行う手段であり、ＩＰシグナリング制御部４２から送られたデータをＴＣＰ／ＩＰパケットに生成して送受信する機能を有している。
【００６８】
回線側アナログ回線制御部４４Ｔは、アナログ回線５５の回線を制御する働きを有しており、音声通信を用いたアナログ通話の着信およびアナログ通話の発信を制御する働きを有している。回線側アナログ回線制御部４４Ｔは、アナログ網からの着信（ナンバーディスプレイ着信）により、ゲートキーパー１からの着信を認識し主制御部４０へ通知する働きを有している。
【００６９】
加入者側アナログ回線制御部４４Ｓは、アナログ端末装置６１とを結ぶアナログ回線を制御する働きを有しており、アナログ端末装置６１とのアナログ通話の着信およびアナログ通話の発信を制御する働きを有している。加入者側アナログ回線制御部４４Ｓは、発信先（ダイヤル先）番号が同一の機能を有するＶｏＩＰアダプタであるか否かの認識を行う働きを有している。相手が同一の機能を有するＶｏＩＰアダプタであるならば主制御部４０へ接続先が同一の機能を有する端末装置であると通知する。相手ＶｏＩＰアダプタが同一の機能を有していない場合には、アナログ通話／インターネット通話切替スイッチ４１をそのまま経由して回線側アナログ回線制御部４４Ｔを介してアナログ網へ接続し、本発明の動作は行わない。また、加入者側アナログ回線制御部４４Ｓは、接続されたアナログ電話機のオフフック情報（発信）やオンフック情報（終話）を検出する働きを有している。
【００７０】
ＩＰアドレス登録制御部４５は、ゲートキーパー１から取得したＶｏＩＰアダプタの電話番号とＩＰアドレスが対応付けて登録・管理する手段である。
【００７１】
回線側イーサネットインタフェース４６Ｔは、ＩＰ網５１を介してディジタルデータを送受信する働きを有している。すなわち、回線側イーサネットインターフェース４６Ｔは、ディジタル端末装置６２からのＩＰデータをＩＰ網へ送出する機能と、ＩＰ通話を行う際の、ＩＰアドレス交換、Ｈ．３２３呼接続のＩＰデータの送受信、さらに、ＩＰ通話での音声パケットの送受信を行う働きを有している。
【００７２】
加入者側イーサネットインタフェース４６Ｓは、ディジタル端末装置６２とを結ぶディジタル回線を制御する働きを有しており、ディジタル端末装置６２とのディジタルデータの送信および受信を制御する働きを有している。すなわち、加入者側イーサネットインターフェース４６Ｓは、接続されたディジタル端末装置６２からのＩＰデータを、回線側イーサネットインターフェース４６Ｔを経由してＩＰ網５１へ送出する働きを有している。
【００７３】
着信音生成部４７は、アナログ端末装置６１側へ送出する各種鳴動音を生成する手段である。すなわち、着信音生成部４７は、インターネット着信を、接続されたアナログ端末装置６１へ通知する着信音を生成する働きを有している。さらに、着信音生成部４７は、アナログ着信中に、ＶｏＩＰアダプタにてＩＰアドレス交換や、Ｈ．３２３手順による呼制御にてインターネット通話路が確立するとアナログ端末装置６１に対して着信音を変化させてＩＰ網によるインターネット着信を通知する働きを有している。
【００７４】
音声圧縮・伸長処理部４８は、アナログ端末装置６１がアナログ回線網５５経由で通話するときにアナログ音声信号を圧縮してディジタル信号とするとともに、アナログ回線網５５経由で受信した圧縮されたディジタル信号を伸長してアナログ音声信号とする働きを有している。すなわち、音声圧縮伸長処理部４８は、音声圧縮機能（エンコーダ）と伸長機能（デコーダ）とを有しており、アナログ音声信号とディジタル化音声信号との間でディジタル変換および復号する働きを有している。符号化の規格には、６４ｋｂｐｓの帯域を使用するＧ．７１１や８ｋｂｐｓの帯域を使用するＧ．７２９などがある。
【００７５】
第２の実施の形態における呼接続処理の流れの詳細を、図６を用いて説明する。予めＶｏＩＰアダプタ４からゲートキーパー１にＩＰアドレスを登録する。すなわち、ＶｏＩＰアダプタ４Ａは、自己の電話番号を搭載した登録要求（ＲＲＱ）をＩＰ網５１を介してゲートキーパー１へ送信する（ステップＳ７１）。ゲートキーパー１はＩＰアドレス登録テーブルにこの電話番号に対応したＩＰアドレスを登録した（ステップＳ７２）後、ＩＰアドレスを付加した登録確認（ＲＣＦ）を、ＩＰ網５１を介してＶｏＩＰアダプタ４Ａへ返送する（ステップＳ７３）。
【００７６】
ユーザがアナログ電話機６１Ａをオフフックした後ダイヤルしてＶｏＩＰアダプタ４ＡにＩＰ接続要求があると（ステップＳ７４）、ＶｏＩＰアダプタ４Ａは、相手側ＶｏＩＰアダプタ４Ｂの電話番号と自己のＩＰアドレスを搭載した開始要求（ＡＲＱ）を、ＩＰ網５１を介してゲートキーパー１へ送信する（ステップＳ７５）。
【００７７】
ゲートキーパー１は、相手ＶｏＩＰアダプタ４Ｂの電話番号を用いてＩＰアドレス登録テーブルを検索し、相手ＶｏＩＰアダプタ４ＢのＩＰアドレスが登録されていないときに相手ＶｏＩＰアダプタ４Ｂに対しアナログ網５５を介して発信した（ステップＳ７６）後、直ちにこの発信を切断する（ステップＳ７７）。
【００７８】
アナログ公衆網５５を介してアナログ着信したＶｏＩＰアダプタ４Ｂは、ナンバーディスプレイ着信によって取得した電話番号によりゲートキーパー１からの着信であることを認識すると、自己の電話番号を搭載した登録要求（ＲＲＱ）を、ＩＰ網５１を介してゲートキーパー１へ送出する（ステップＳ７８）。
【００７９】
ゲートキーパー１は、ＶｏＩＰアダプタ４ＢのＩＰアドレスを電話番号と対応付けてＩＰアドレス登録テーブル１４に登録する（ステップＳ７９）。次いで、ゲートキーパー１は、ＶｏＩＰアダプタ４ＢのＩＰアドレスを搭載した登録確認（ＲＣＦ）を、ＩＰ網５１を介してＶｏＩＰアダプタ４Ｂへ送信する（ステップＳ８０）とともに、ＶｏＩＰアダプタ４ＢのＩＰアドレスを搭載した許可（ＡＣＦ）を、ＩＰ網５１を介してＶｏＩＰアダプタ４Ａへ送信する（ステップＳ８１）。
【００８０】
相手ＶｏＩＰアダプタ４ＢのＩＰアドレスを取得したＶｏＩＰアダプタ４Ａは、このＩＰアドレスを用いて相手ＶｏＩＰアダプタ４Ｂへ、ＩＰ網５１を介して呼設定を送出する（ステップＳ８２）。
【００８１】
相手ＶｏＩＰアダプタ４Ｂは、ＶｏＩＰアダプタ４Ａに対してＩＰ網５１を介して呼設定受付を送信した（ステップＳ８３）後、ＶｏＩＰアダプタ４Ａの電話番号と自己のＩＰアドレスを搭載した開始要求（ＡＲＱ）を、ＩＰ網５１を介してゲートキーパー１へ送信する（ステップＳ８４）。
【００８２】
ゲートキーパー１は、ＶｏＩＰアダプタ４Ａの電話番号を用いてＩＰアドレス登録テーブル１４を検索して取得したＶｏＩＰアダプタ４ＡのＩＰアドレスを搭載した許可（ＡＣＦ）を、ＩＰ網５１を介してＶｏＩＰアダプタ４Ｂへ送信する（ステップＳ８５）。
【００８３】
ＶｏＩＰアダプタ４Ｂは、取得したＶｏＩＰアダプタ４ＡのＩＰアドレスを用いて、ＩＰ網５１を介してＶｏＩＰアダプタ４Ａへ呼出信号を送出する（ステップＳ８６）とともに、着信音を生成してアナログ端末装置６１Ｂへ送出する（ステップＳ８７）。このとき、ＶｏＩＰアダプタ４Ａも同様に、アナログ端末装置６１Ａへ呼出音を送出する（ステップＳ８８）。
【００８４】
相手側ユーザが応答してアナログ端末装置６１Ｂがオフフックすると（ステップＳ８９）、ＶｏＩＰアダプタ４Ｂは、ＶｏＩＰアダプタ４ＡへＩＰ網５１を介して応答を送出する（ステップＳ９０）。
【００８５】
このようにして、予めＩＰアドレスをゲートキーパー１に登録したＶｏＩＰアダプタ４ＡとＩＰアドレスを登録していないＶｏＩＰアダプタ４Ｂとの間でＩＰ通話が行われ、各ＶｏＩＰアダプタ４とアナログ端末装置６１との間でアナログ通話が行われる（ステップＳ９１）。
【００８６】
【発明の効果】
本発明によれば、ゲートキーパーに対してＩＰアドレスが未だ登録されていない相手側ＩＰ端末装置に対しても、ＩＰアドレスの登録動作を促してＩＰ通話をすることができる。
【００８７】
ゲートキーパーからＩＰ端末装置にＩＰアドレスの登録を喚起するために、ナンバーディスプレイ着信を使用しているので、相手側ＩＰ端末装置は、特別なシーケンスを用いずにＩＰアドレス登録喚起を認識することができる。
【００８８】
ゲートキーパーからのＩＰアドレス設定を促す着信は、ワンコールで済むので、課金されない。
【００８９】
ＩＰ電話機に限らず、番号登録を必要とするゲートキーパーＩＰ端末装置間で有効である。
【図面の簡単な説明】
【図１】本発明にかかるＩＰ通信システムの構成の概要を説明する図。
【図２】本発明にかかるＩＰ通信システムを構成するゲートキーパーの構成の概要を説明するブロック図。
【図３】本発明にかかるＩＰ通信システムにおけるＩＰ接続処理の流れを説明する流れ図。
【図４】本発明の第２の実施の形態にかかるＩＰ通信システムの構成の概要を説明する図。
【図５】本発明第２の実施の形態にかかるＩＰ通信システムを構成するＶｏＩＰアダプタの構成の概要を説明するブロック図。
【図６】本発明の第２の実施の形態にかかるＩＰ通信システムにおけるＩＰ接続処理の流れを説明する流れ図。
【図７】従来のＩＰ通信システムの構成の概要を説明する図。
【図８】従来のＩＰ通信システムにおけるＩＰ接続処理の流れを説明する流れ図。
【符号の説明】
１  ゲートキーパー
１０  主制御部
１１  ＩＰゲートキーパー制御部
１２  ＩＰシグナリング制御部
１３  ＴＣＰ／ＩＰ制御部
１４  ＩＰアドレス登録テーブル
１５  登録テーブル管理部
１６  ＩＰ端末装置への発信制御部
１７  アナログ回線制御部
１８  イーサネット制御部
１９  タイマ処理部
３  ＩＰ端末装置
５１  ＩＰ網
５５  アナログ公衆網
【図１】
0003795825.tif 000002
【図２】
0003795825.tif 000003
【図３】
0003795825.tif 000004
【図４】
0003795825.tif 000005
【図５】
0003795825.tif 000006
【図６】
0003795825.tif 000007
【図７】
0003795825.tif 000008
【図８】
0003795825.tif 000009